(57)【特許請求の範囲】
【請求項１】
折り部を介して連接され、封書形成時に折り重ねられる二片を有するとともに、これら二片の少なくとも一片の重ね合わせ面側における折り部に沿った縁を除いた三周縁には封緘用接着部を有する封書シートと、この封書シートの前記封緘用接着部に剥離可能に接着された複写介在紙と、この複写介在紙の上に重ねられるとともに、前記封書シートに前記封緘用接着部に対応しないようにして分離可能に接着され、表面側が情報記入部とされた封書内蔵用紙片とを備え、前記情報記入部に記入することで対応位置する封書シートの重ね合わせ面に複写記入し得るとともに、前記複写介在紙を剥離すると前記封書シートへの複写記入が不可能となるように、前記複写介在紙と前記封書シートの対接面に相対的に複写構造を設けたことを特徴とする封書形成用複写シート。
【請求項２】
折り部を介して連接され、封書形成時に折り重ねられる二片を有するとともに、これら二片の少なくとも一片の重ね合わせ面側における折り部に沿った縁を除いた三周縁には封緘用接着部を有する封書シートと、この封書シートの前記封緘用接着部に剥離可能に接着された複写介在紙と、この複写介在紙の上に重ねられるとともに、前記封書シートに前記封緘用接着部に対応しないようにして分離可能に接着され、表面側が情報記入部とされた封書内蔵用紙片とを備え、前記情報記入部に記入することで対応位置する複写介在紙の表面と前記封書シートの重ね合わせ面に複写記入し得るとともに、前記複写介在紙を剥離すると前記封書シートへの複写記入が不可能となるように、前記封書内蔵用紙片と前記複写介在紙の対接面及び前記複写介在紙と前記封書シートの対接面に、それぞれ相対的に複写構造を設けたことを特徴とする封書形成用複写シート。
【発明の詳細な説明】
【０００１】
【発明の属する技術分野】
本発明は、封書形成用複写シートに関し、特に、必要事項を複写記入して各種申込書等とその控えを得るとともに、封書を形成し得る封書形成用複写シートに関する。
【０００２】
【従来の技術】
従来、郵送による各種申込においては、郵送料が封書に比べて安価であるので、葉書形態の申込書を使用しているのが一般的であり、必要事項を記入して通常の葉書と同様に投函している。この申込書を受領した取り扱い会社では、事務処理のために控えが必要となるが、葉書形態の場合には複写記入する控えを設けることは困難なので、申込書をコピーして控えとしている。例えば、口座振替申込書の場合には、申込書原本は銀行などの金融機関に送らなければならないので、必ず各申込書のコピーをとらなければならない。
【０００３】
【発明が解決しようとする課題】
このため、葉書形態を採用した従来例によると、控えをとるためのコピー作業が繁雑であるという不都合があった。一方、封書形態を採用すれば複写記入による控えを申込書とともに郵送するのは容易であるが、郵送途上で、封書外部から圧力が加わると、複写構造によって不必要な線などが控えに複写記入され、この余分な記入によって控えとして使用できない事態も起こるという新たな不都合を生じる。本発明は、このような不都合を解消した、封書形成用複写シートを提供することを目的とする。
【０００４】
【課題を解決するための手段】
この目的を達成するために、本発明の請求項１に記載した封書形成用複写シートは、折り部を介して連接され、封書形成時に折り重ねられる二片を有するとともに、これら二片の少なくとも一片の重ね合わせ面側における折り部に沿った縁を除いた三周縁には封緘用接着部を有する封書シートと、この封書シートの前記封緘用接着部に剥離可能に接着された複写介在紙と、この複写介在紙の上に重ねられるとともに、前記封書シートに前記封緘用接着部に対応しないようにして分離可能に接着され、表面側が情報記入部とされた封書内蔵用紙片とを備え、前記情報記入部に記入することで対応位置する封書シートの重ね合わせ面に複写記入し得るとともに、前記複写介在紙を剥離すると前記封書シートへの複写記入が不可能となるように、前記複写介在紙と前記封書シートの対接面に相対的に複写構造を設けたものである。
【０００５】
また、本発明の請求項２に記載した封書形成用複写シートは、折り部を介して連接され、封書形成時に折り重ねられる二片を有するとともに、これら二片の少なくとも一片の重ね合わせ面側における折り部に沿った縁を除いた三周縁には封緘用接着部を有する封書シートと、この封書シートの前記封緘用接着部に剥離可能に接着された複写介在紙と、この複写介在紙の上に重ねられるとともに、前記封書シートに前記封緘用接着部に対応しないようにして分離可能に接着され、表面側が情報記入部とされた封書内蔵用紙片とを備え、前記情報記入部に記入することで対応位置する複写介在紙の表面と前記封書シートの重ね合わせ面に複写記入し得るとともに、前記複写介在紙を剥離すると前記封書シートへの複写記入が不可能となるように、前記封書内蔵用紙片と前記複写介在紙の対接面及び前記複写介在紙と前記封書シートの対接面に、それぞれ相対的に複写構造を設けたものである。
【０００６】
【発明の実施の形態】
以下、添付図面の図１〜図５に基づいて、本発明を口座振替申込書とその控えを内蔵して送付するシートに適用した場合の第１の実施形態を説明する。ここにおいて、図１は封書形成用複写シートの概略的な平面図、図２はその分解斜視図、図３は図１のＡ−Ａ線断面図、図４は作成した封書の概略的な平面図、図５はそのＢ−Ｂ線断面図である。
【０００７】
図１〜図３に示すように、封書形成用複写シート１は、封書シート２と、複写介在紙３と、封書内蔵用紙片たる口座振替申込書４とからなる。前記封書シート２は、折り部たる折り兼切り用ミシン目５を介して連接され、封書形成時に前記折り兼切り用ミシン目５で折り重ねられる左片６と右片７の二片を有し、左片６の重ね合わせ面側における前記折り兼切り用ミシン目５に沿った縁を除いた三周縁には封緘用接着部として粘着剤８を塗布している。前記粘着剤８塗布部分の内側に沿って、開封用ミシン目９ａ，９ｂ，９ｃを設け、開封用ミシン目９ｂ，９ｃは平行で右片７にまで伸びている。
【０００８】
また、右片７には、左片６と重ね合わせたときに前記開封用ミシン目９ａと重なる位置に開封用ミシン目９ｄを設けるとともに、折り兼切り用ミシン目５に沿って粘着剤１０を塗布している。この右片７の重ね合わせ面と反対面側は、封書形成時に表出する宛名表示面となり、図４で理解できるようにあらかじめ宛名表示２５が印刷されている。
【０００９】
図２及び図３に示すように、封書シート２の粘着剤８に対応する三周縁に剥離剤１１を設けた複写介在紙３を、前記粘着剤８によって前記封書シート２に剥離可能に接着している。前記複写介在紙３は前記封書シート２の左片６とほぼ同一大であり、その裏面側、すなわち前記左片６との対接面側には複写構造としてカーボン複写層１２を設けている。
【００１０】
図１〜図３に示すように、口座振替申込書４は、粘着剤８塗布部分の内側に位置するよう複写介在紙３や左片６よりも小さく形成され、折り兼切り用ミシン目５の直上に位置する折り兼切り用ミシン目１３を介して説明文記載片１４を連接している。この説明文記載片１４は右片７とほぼ同一大で、粘着剤１０によって前記右片７に接着され、接着部分に沿って前記折り兼切り用ミシン目１３と平行に設けた切り用ミシン目１５で分離可能となっている。また、説明文記載片１４の表面側には、口座振替申込書４の記入方法に関する説明文１６を記載している。
【００１１】
図１及び図２に示すように、口座振替申込書４の表面側には、「口座振替申込書」と表示した標題１７の下に、情報記入部として、申込年月日記入欄１８、銀行名、支店名、口座番号及び口座名義人を記入する申込情報記入欄１９，申込者の氏名を記入して捺印する申込者名記入捺印欄２０を設けている。
【００１２】
図２に示すように、左片６は口座振替申込書控えとなり、その重ね合わせ面には、上述した口座振替申込書４と同様に、「口座振替申込書」と表示した標題２１の下に、複写記入部として各記入欄１８，１９，２０に上下に対応位置するようにして、申込年月日複写記入欄２２、銀行名、支店名、口座番号及び口座名義人を複写記入する申込情報複写記入欄２３，申込者の氏名及び捺印を複写記入する申込者名捺印複写欄２４を設けている。そして、口座振替申込書４の各記入欄１８，１９，２０に記入、捺印することで対応位置する各複写記入欄２２，２３，２４に、複写介在紙３のカーボン複写層１２の作用で複写記入することができる。
【００１３】
本実施形態は以上のように構成したので、図１及び図３状態において、口座振替申込者が説明文１６にしたがって、口座振替申込書４の申込年月日記入欄１８、申込情報記入欄１９、申込者名記入捺印欄２０に所定の情報を記入し、捺印すると、左片６のそれぞれ対応する申込年月日複写記入欄２２、申込情報複写記入欄２３、申込者名捺印複写欄２４に同一事項が複写される。
【００１４】
次いで申込者が、切り用ミシン目１５を破断して説明文記載片１４を分離するとともに、複写介在紙３を剥離し、折り兼切り用ミシン目５，１３で右片７を左片６側に重ね合わせると、露出した粘着剤８によって前記右片７と前記左片６の三周縁が接着され、図４及び図５に示すように、口座振込申込書４を内蔵した封書２６が作成される。
【００１５】
この状態においては、図５で理解できるように、カーボン複写層１２を設けた複写介在紙３が存在しないので、取扱中に外部から圧力が加わっても左片６の各複写記入欄２２，２３，２４に不要な線などが複写記入されることはない。また、作成した封書２６はあらかじめ宛名表示２５が印刷されているので、通常の封書と同様に投函することができる。
【００１６】
一方、封書２６を受領した宛名会社では、開封用ミシン目９ａ，９ｂ，９ｃ，９ｄを破断して封書２６を開封し、切り用ミシン目１３を破断して口座振込申込書４を分離する。そして、分離した前記口座振替申込書４は記載された指定銀行に送付し、折り兼切り用ミシン目５を破断して左片６を自社用の控えとし、これを保管するものである。
【００１７】
続いて、図６及び図７に基づき複写構造に関する他の実施形態を説明するが、複写構造以外の構成及び使用方法は上述した第１の実施形態と同一なので、対応する構成要素に同一符号を付すに止め、詳細な説明については省略する。
【００１８】
まず、図６に示す封書形成用複写シート３１は、複写介在紙３に、その裏面側に設けたカーボン複写層１２に加えて、表面側には顕色剤層３２を設け、これと対接する口座振替申込書４の裏面側に染色剤内包マイクロカプセル層３３を設けたものである。
【００１９】
そして、図示していないが、複写介在紙３の表面側に、左片６におけると同様に複写記入部として口座振替申込書４の各記入欄１８，１９，２０に上下に対応位置するように、申込年月日複写記入欄、銀行名、支店名、口座番号及び口座名義人を複写記入する申込情報複写記入欄，申込者の氏名及び捺印を複写記入する申込者名捺印複写欄を設けている。
【００２０】
したがって、この第２の実施形態においては、左片６の重ね合わせ面のみならず、複写介在紙３の表面にも口座振替申込書４に記入した事項を複写記入することができるので、複写記入した前記複写介在紙３を剥離して口座振替申込者の控えとすることができる。また、前記複写介在紙３を剥離すると、前記口座振替申込書４の裏面側に設けた染色剤内包マイクロカプセル層３３のみが残るので、左片６への複写記入は不可能となる。
【００２１】
次に、図７に示す封書形成用複写シート４１は、複写介在紙３の裏面側にはカーボン複写層１２に替えて染色剤内包マイクロカプセル層４２を設け、これと対接する左片６の表面側には顕色剤層４３を設ける一方、前記複写介在紙３の表面側には自己発色剤層４４を設けたものである。そして、図示していないが、複写介在紙３の表面側に、左片６におけると同様に複写記入部として口座振替申込書４の各記入欄１８，１９，２０に上下に対応位置するように、申込年月日複写記入欄、銀行名、支店名、口座番号及び口座名義人を複写記入する申込情報複写記入欄，申込者の氏名及び捺印を複写記入する申込者名捺印複写欄を設けている。
【００２２】
したがって、この第３の実施形態においても、第２の実施形態と同様に、左片６の重ね合わせ面のみならず、複写介在紙３の表面にも口座振替申込書４に記入した事項を複写記入することができるので、複写記入した前記複写介在紙３を剥離して口座振替申込者の控えとすることができる。また、前記複写介在紙３を剥離すると、前記左片６の表面側である重ね合わせ面に設けた顕色剤層４３のみが残るので、左片６への複写記入は不可能となる。
【００２３】
なお、本発明は上述した各実施形態に限定されるものではなく、例えば、切り用ミシン目１５を折り兼切り用ミシン目とし、これを折り兼切り用ミシン目１３に替えて折り兼切り用ミシン目５と上下に重なるよう構成し、前記折り兼切り用ミシン目１３を切り用ミシン目とし、粘着剤１０を左片６の折り兼切り用ミシン目５に沿った縁に設けて、口座振替申込書４を前記左片６に接着するよう構成してもよい。この場合には、控えとなる前記左片６に粘着剤１０で接着した帯状部分が残ることになる。また、説明文記載片１４は必ずしも必要ではなく、説明文１６を右片７の重ね合わせ面に印刷してもよい。さらに、封書内蔵用紙片は、口座振替申込書４に限らず、控えを必要とする各種申込書に適用可能である。
【００２４】
【発明の効果】
以上説明したように、本願発明の請求項１に記載した封書形成用複写シートによれば、申込書に記入することで複写記入した控えを得られるので、取扱会社で自社用の控えをコピーして作成する手間がいらず簡便であり、また、封書内に申込書を入れた状態で送付できるので、申込者のプライバシーを保護することができ、さらに、送付時には封書内に複写構造が存在しないので、取り扱い時に不要な線などが複写されることがなく、常に適正な控えを得ることができ、またさらに、封書内に備え付けの申込書に加えて他の書類も同封可能であるという多くの効果を奏する。
【００２５】
また、本願発明の請求項２に記載した封書形成用複写シートによれば、上述の効果に加えて、申込者用の控えも作成できるという効果を奏する。
【図面の簡単な説明】
【図１】封書形成用複写シートの第１実施形態を示す概略的な平面図。
【図２】同じく分解斜視図。
【図３】図１のＡ−Ａ線断面図。
【図４】作成した封書の概略的な平面図。
【図５】図４のＢ−Ｂ線断面図。
【図６】封書形成用複写シートの第２の実施形態を示す概略的な断面図。
【図７】封書形成用複写シートの第３の実施形態を示す概略的な断面図。
【符号の説明】
１，３１，４１      封書形成用複写シート
２      封書用シート
３      複写介在紙
４      口座振替申込書
５，１３      折り兼切り用ミシン目
６      左片
７      右片
８，１０      粘着剤
９ａ，９ｂ，９ｃ，９ｄ      開封用ミシン目
１１      剥離剤
１２      カーボン複写層
１４      説明文記載片
１５      切り用ミシン目
１７，２１      標題
１８      申込年月日記入欄
１９      申込情報記入欄
２０      申込者記入捺印欄
２２      申込年月日複写記入欄
２３      申込情報複写記入欄
２４      申込者氏名捺印複写欄
２５      宛名表示
２６      封書
３２，４３      顕色剤層
３３，４２      染色剤内包マイクロカプセル層
４４      自己発色剤層
【図１】
0003810283.tif 000002
【図２】
0003810283.tif 000003
【図３】
0003810283.tif 000004
【図４】
0003810283.tif 000005
【図５】
0003810283.tif 000006
【図６】
0003810283.tif 000007
【図７】
0003810283.tif 000008